(57)【要約】【課題】ケース内の電子部品が電気的なストレスを受けて電子部品の印刷が変色したり電子部品が破壊されたりしているかどうかを明確に判断することができ、また、電子部品の印刷が変色したり電子部品が破壊されたりしていれば、その程度や箇所がわかる電気電子機器を提供することを目的とする。【解決手段】定格外の電流が印加されたり、定格外の電圧が印加されたりするおそれがある電子部品７と、該電子部品７を収容し密閉した状態で取り付け先に取り付けられるハウジングケース１３Ａと、を備える電気電子機器であって、ハウジングケース１３Ａの少なくとも一部の領域が少なくとも可視光帯域では透光性である材質で形成され、該領域でハウジングケース１３Ａの外部から電子部品７が見えることを特徴とする。【選択図】図２
2009054772.tif 000002
【特許請求の範囲】
【請求項１】
定格外の電流が印加されたり、定格外の電圧が印加されたりするおそれがある電子部品と、
該電子部品を収容し密閉した状態で取り付け先に取り付けられるハウジングケースと、
を備える電気電子機器であって、
ハウジングケースの少なくとも一部の領域が少なくとも可視光帯域では透光性である材質で形成され、
該領域でハウジングケースの外部から電子部品が見えることを特徴とする電気電子機器。
【請求項２】
ハウジングケースの全面が透光性である材質で形成されていることを特徴とする請求項１に記載の電気電子機器。
【請求項３】
ハウジングケースが取り付け先に取り付けられた状態で、ハウジングケースが外部に臨む前面のみが透光性である材質で形成されていることを特徴とする請求項１に記載の電気電子機器。
【請求項４】
ハウジングケースには、反射体がさらに収容され、
反射体は、電子部品を直接見える角度とは別の角度で前記領域に向けて映すことを特徴とする請求項１に記載の電気電子機器。
【請求項５】
ハウジングケースには、反射体がさらに収容され、
反射体は、電子部品の側面をハウジングケースの前面に向けて映すことを特徴とする請求項３に記載の電気電子機器。
【発明の詳細な説明】
【技術分野】
【０００１】
本発明は、定格外の電流が印加されたり、定格外の電圧が印加されたりするおそれがある電子部品と、該電子部品を収容し密閉した状態で取り付け先に取り付けられるハウジングケースと、を備える電気電子機器に関する。
【背景技術】
【０００２】
例えば、特許文献１には、ケース内に避雷素子を設け、電気回路に接続して設置し、その接続電気回路に所定以上の雷電圧が印加したとき、避雷素子の弁作用により雷電流を大地へと流し、その際時として避雷素子が破壊発熱する避雷器において、避雷素子の発熱により変色する感熱紙を、ケース内に外部から目視可能に備えてなる避雷器が記載されている。
【特許文献１】実開平６−７０２０５号公報
【発明の開示】
【発明が解決しようとする課題】
【０００３】
ところで、上記特許文献１に記載の構成では、感熱紙は、ケース内の温度が７０℃程度になったときに変色してしまい、ケースを用いて熱を逃がすように設計された電気電子機器などに使用した場合には、感熱紙が変色したとしても、ケース内の電子部品が電気的なストレスを受けて電子部品の印刷が変色したり電子部品が破壊されたりしているかどうかを明確に判断することができないという問題点がある。
【０００４】
また、ケース内の電子部品が電気的なストレスを受けて電子部品の印刷が変色したり電子部品が破壊されたりしていたとしても、その程度や箇所がわからないため、電子部品の印刷の変色や破壊に対して効率良く対応することができないという問題点もある。
【０００５】
本発明は、上記問題点に鑑みてなされたものであり、ケース内の電子部品が電気的なストレスを受けて電子部品の印刷が変色したり電子部品が破壊されたりしているかどうかを明確に判断することができ、また、電子部品の印刷が変色したり電子部品が破壊されたりしていれば、その程度や箇所がわかる電気電子機器を提供することを目的とする。
【課題を解決するための手段】
【０００６】
上記課題を解決するために、請求項１に記載の電気電子機器は、定格外の電流が印加されたり、定格外の電圧が印加されたりするおそれがある電子部品と、該電子部品を収容し密閉した状態で取り付け先に取り付けられるハウジングケースと、を備える電気電子機器であって、ハウジングケースの少なくとも一部の領域が少なくとも可視光帯域では透光性である材質で形成され、該領域でハウジングケースの外部から電子部品が見えることを特徴とする。
【０００７】
請求項２に記載の発明は、上記請求項１に記載の電気電子機器において、ハウジングケースの全面が透光性である材質で形成されていることを特徴とする。
【０００８】
請求項３に記載の発明は、上記請求項１に記載の電気電子機器において、ハウジングケースが取り付け先に取り付けられた状態で、ハウジングケースが外部に臨む前面のみが透光性である材質で形成されていることを特徴とする。
【０００９】
請求項４に記載の発明は、上記請求項１に記載の電気電子機器において、ハウジングケースには、反射体がさらに収容され、反射体は、電子部品を直接見える角度とは別の角度で前記領域に向けて映すことを特徴とする。
【００１０】
請求項５に記載の発明は、上記請求項３に記載の電気電子機器において、ハウジングケースには、反射体がさらに収容され、反射体は、電子部品の側面をハウジングケースの前面に向けて映すことを特徴とする。
【発明の効果】
【００１１】
請求項１に記載の発明によれば、ハウジングケースの少なくとも一部の領域が少なくとも可視光帯域では透光性である材質で形成され、該領域でハウジングケースの外部から電子部品が見えるので、ハウジングケースを開けなくても、ケース内の電子部品が電気的なストレスを受けて電子部品の印刷が変色したり電子部品が破壊されたりしているかどうかを明確に判断することができ、また、電子部品の印刷が変色したり電子部品が破壊されたりしていれば、その程度や箇所がわかるので、電子部品の印刷の変色や破壊に対して効率良く対応することができる。
【００１２】
請求項２に記載の発明によれば、特に、ハウジングケースの全面が透光性である材質で形成されているので、ケース内の電子部品を様々な角度から見ることができ、電子部品が電気的なストレスを受けて電子部品の印刷が変色したり電子部品が破壊されたりしているかどうかを明確に判断しやすく、また、電子部品の印刷が変色したり電子部品が破壊されたりしていれば、その程度や箇所がわかりやすくなる。
【００１３】
請求項３に記載の発明によれば、特に、ハウジングケースが取り付け先に取り付けられた状態で、ハウジングケースが外部に臨む前面のみが透光性である材質で形成されているので、ハウジングケースを取り付け先から取り外さなくても、ケース内の電子部品が電気的なストレスを受けて電子部品の印刷が変色したり電子部品が破壊されたりしているかどうかを明確に判断することができ、また、電子部品の印刷が変色したり電子部品が破壊されたりしていれば、その程度や箇所がわかるとともに、ハウジングケースの該前面以外の部分については、デザインを任意に設計することができるので、電気電子機器の外観を良くすることができる。
【００１４】
請求項４に記載の発明によれば、特に、反射体により、電子部品を直接見える角度とは別の角度でも見ることができるため、ケース内の電子部品が電気的なストレスを受けて電子部品の印刷が変色したり電子部品が破壊されたりしているかどうかを明確に判断しやすく、また、電子部品の印刷が変色したり電子部品が破壊されたりしていれば、その程度や箇所がわかりやすくなる。
【００１５】
請求項５に記載の発明によれば、特に、ハウジングケースが外部に臨む前面のみを透光性である材質で形成しているにもかかわらず、反射体により、電子部品の側面の状態を確認することができるので、ケース内の電子部品が電気的なストレスを受けて電子部品の印刷が変色したり電子部品が破壊されたりしているかどうかを明確に判断しやすく、また、電子部品の印刷が変色したり電子部品が破壊されたりしていれば、その程度や箇所がわかりやすくなる。
【発明を実施するための最良の形態】
【００１６】
以下、図面を参照しながら本発明の実施の形態について説明する。以下の説明では具体例を挙げて本発明を説明する場合があるが、本発明は以下の具体例に限定されない。
【００１７】
（実施形態１）
図１は、二線式多重伝送方式を用いたシステムの構成を示すブロック図である。図１に示すように、センタ１は、端末器２ａ、２ｂに接続されている。また、端末器２ａは、電源３から引き出された電源線４上に接続され、端末器２ｂは、伝送線５上に接続されている。そして、電源３と端末器２ａとの間の電源線４上には、電気電子機器であるサージ対策商品６Ａが接続され、伝送線５上にも、サージ対策商品６Ａが適宜接続され、このサージ対策商品６Ａにより、端末器２ａ、２ｂは、定格外の電流や電圧から保護される。サージ対策商品６Ａは、電子部品であるサージアブソーバ７を収容し、密閉している。そして、サージアブソーバ７は、定格外の電流が印加されたり、定格外の電圧が印加されたりするおそれがあり、この電気的なストレスにより、ときとして印刷が変色したり破壊されたりする。また、センタ１は、端末器２ａ、２ｂと信号の送受信をする伝送ドライバ部８と、当該信号を処理するＣＰＵ９と、液晶・スイッチ等のマン―マシンＩ／Ｆ部１０と、様々なデータを記憶する記憶部１１と、で構成されている。ここで、伝送ドライバ部８には、サージアブソーバ７が内蔵されている。
【００１８】
そして、図２は、実施形態１に係るサージ対策商品６Ａの概略斜視図である。図２に示すように、サージ対策商品６Ａは、プリント基板１２上に配置されたサージアブソーバ７がハウジングケース１３Ａに収容されてなる。サージ対策商品６Ａは、取り付け先（図示せず）に取り付けられる。
【００１９】
ここで、ハウジングケース１３Ａは、側面の一部の領域が少なくとも可視光帯域では透光性である材質で形成され、該領域でハウジングケース１３Ａの外部からサージアブソーバ７が見えるようになっている。
【００２０】
本実施形態では、ハウジングケース１３Ａにおける側面の一部の領域を透光性である材質で形成しているが、外部からサージアブソーバ７が見えるようにハウジングケース１３Ａの一部の領域を透光性である材質で形成する限り、該領域の箇所は制限されない。
【００２１】
また、ハウジングケース１３Ａの透光性である材質を用いた部分領域以外の領域については、任意のデザインにしてよく、例えば、黒色とすることができる。
【００２２】
したがって、ハウジングケース１３Ａの一部の領域が少なくとも可視光帯域では透光性である材質で形成され、該領域でハウジングケース１３Ａの外部からサージアブソーバ７が見えるので、ハウジングケース１３Ａを開けなくても、ケース１３Ａ内のサージアブソーバ７が電気的なストレスを受けてサージアブソーバ７の印刷が変色したりサージアブソーバ７が破壊されたりしているかどうかを明確に判断することができ、また、サージアブソーバ７の印刷が変色したりサージアブソーバ７が破壊されたりしていれば、その程度や箇所がわかるので、サージアブソーバ７の印刷の変色や破壊に対して効率良く対応することができる。また、ハウジングケース１３Ａの透光性である材質を用いた部分領域以外の領域については、任意のデザインにしてよいため、サージ対策商品６Ａの外観を良くすることができる。
【００２３】
（実施形態２）
図３は、実施形態２に係るサージ対策商品６Ｂの概略斜視図である。サージ対策商品６Ｂは、実施形態１で述べたサージ対策商品６Ａとは、ハウジングケース１３Ｂの全面が少なくとも可視光帯域では透光性である材質で形成されている点で異なり、その他の点については同様である。
【００２４】
したがって、ハウジングケース１３Ｂの全面が透光性である材質で形成されているので、ケース１３Ｂ内のサージアブソーバ７を様々な角度から見ることができ、サージアブソーバ７が電気的なストレスを受けてサージアブソーバ７の印刷が変色したりサージアブソーバ７が破壊されたりしているかどうかを明確に判断しやすく、また、サージアブソーバ７の印刷が変色したりサージアブソーバ７が破壊されたりしていれば、その程度や箇所がわかりやすくなる。
【００２５】
（実施形態３）
図４は、実施形態３に係るサージ対策商品６Ｃの概略斜視図である。サージ対策商品６Ｃは、実施形態１で述べたサージ対策商品６Ａとは、ハウジングケース１３Ｃが取り付け先（図示せず）に取り付けられた状態で、ハウジングケース１３Ｃが外部に臨む前面のみが少なくとも可視光帯域では透光性である材質で形成されている点で異なり、その他の点については同様である。
【００２６】
したがって、ハウジングケース１３Ｃが取り付け先に取り付けられた状態で、ハウジングケース１３Ｃが外部に臨む前面のみが透光性である材質で形成されているので、ハウジングケース１３Ｃを取り付け先から取り外さなくても、ケース１３Ｃ内のサージアブソーバ７が電気的なストレスを受けてサージアブソーバ７の印刷が変色したりサージアブソーバ７が破壊されたりしているかどうかを明確に判断することができ、また、サージアブソーバ７の印刷が変色したりサージアブソーバ７が破壊されたりしていれば、その程度や箇所がわかるとともに、ハウジングケース１３Ｃの該前面以外の部分については、デザインを任意に設計することができるので、サージ対策商品６Ｃの外観を良くすることができる。
【００２７】
（実施形態４）
図５は、実施形態４に係るサージ対策商品６Ｄの概略斜視図である。サージ対策商品６Ｄは、実施形態３で述べたサージ対策商品６Ｃとは、ハウジングケース１３Ｄに反射体であるミラー１４が収容されている点で異なり、その他の点については同様である。
【００２８】
ここで、ミラー１４は、図５に示すように、ハウジングケース１３Ｄの前面側から見たときに、サージアブソーバ７の側面が映し出されるように配置されている。
【００２９】
したがって、ミラー１４により、サージアブソーバ７を直接見える角度とは別の角度でも見ることができるため、ケース１３Ｄ内のサージアブソーバ７が電気的なストレスを受けてサージアブソーバ７の印刷が変色したりサージアブソーバ７が破壊されたりしているかどうかを明確に判断しやすく、また、サージアブソーバ７の印刷が変色したりサージアブソーバ７が破壊されたりしていれば、その程度や箇所がわかりやすくなる。特に、本実施形態では、ハウジングケース１３Ｄが外部に臨む前面のみを透光性である材質で形成しているにもかかわらず、ミラー１４により、サージアブソーバ７の側面の状態を確認することができるので、ケース１３Ｄ内のサージアブソーバ７が電気的なストレスを受けてサージアブソーバ７の印刷が変色したりサージアブソーバ７が破壊されたりしているかどうかを明確に判断しやすく、また、サージアブソーバ７の印刷が変色したりサージアブソーバ７が破壊されたりしていれば、その程度や箇所がわかりやすくなる。
【００３０】
また、サージアブソーバ７がハウジングケース１３Ｄの前面側から見えない位置に配置されている場合にも、ミラー１４を用いて、サージアブソーバ７の状態を確認することができる。このとき、複数のミラー１４をハウジングケース１３Ｄ内に配置し、それらを組み合わせて使用してもよい。
【図面の簡単な説明】
【００３１】
【図１】二線式多重伝送方式を用いたシステムの構成を示すブロック図である。
【図２】実施形態１に係るサージ対策商品の概略斜視図である。
【図３】実施形態２に係るサージ対策商品の概略斜視図である。
【図４】実施形態３に係るサージ対策商品の概略斜視図である。
【図５】実施形態４に係るサージ対策商品の概略斜視図である。
【符号の説明】
【００３２】
１                              センタ
２ａ、２ｂ                      端末器
３                              電源
４                              電源線
５                              伝送線
６Ａ、６Ｂ、６Ｃ、６Ｄ          サージ対策商品（電気電子機器）
７                              サージアブソーバ（電子部品）
８                              伝送ドライバ部
９                              ＣＰＵ
１０                            マン―マシンＩ／Ｆ部
１１                            記憶部
１２                            プリント基板
１３Ａ、１３Ｂ、１３Ｃ、１３Ｄ  ハウジングケース
１４                            ミラー（反射体）
【図１】
2009054772.tif 000003
【図２】
2009054772.tif 000004
【図３】
2009054772.tif 000005
【図４】
2009054772.tif 000006
【図５】
2009054772.tif 000007